(57)【要約】  加圧バッグ（１）は、一端に開口（１１）を備え、その反対側に底部（１２）を備えた袋形状を有する。加圧バッグ（１）は、内シート（２０）及び外シート（３０）が、外シート（３０）が内シート（２０）に対して収納室（１０）とは反対側に位置するように重ね合わされた二重構造を有する。加圧室（１５）は、内シート（２０）と外シート（３０）との間に設けられている。内シート（２０）、外シート（３０）、及び、加圧室（１５）は、いずれも底部（１２）を介して、収納室（１０）に対して一方の側から他方の側に延在している。
2018181502.tif 000002
【特許請求の範囲】
【請求項１】
液状物が充填された袋状容器を収納するための収納室と、密閉された加圧室とを備え、前記加圧室に流体が注入されると、前記加圧室が膨張して前記収納室に収納された前記袋状容器を加圧して、前記液状物を前記袋状容器から押し出すことができるように構成された加圧バッグであって、
前記加圧バッグは、前記収納室に対して前記袋状容器を出し入れするための開口を一端に備え、前記開口とは反対側に底部を備えた袋形状を有し、
前記加圧バッグは、可撓性を有する内シートと、可撓性を有する外シートとが、前記外シートが前記内シートに対して前記収納室とは反対側に位置するように重ね合わされた二重構造を有し、
前記加圧室は、前記内シートと前記外シートとの間に設けられており、
前記内シート、前記外シート、及び、前記内シートと前記外シートとの間の前記加圧室は、いずれも前記底部を介して、前記収納室に対して一方の側から他方の側に延在していることを特徴とする加圧バッグ。
【請求項２】
前記内シート及び前記外シートは、それぞれ連続する単一のシートからなる請求項１に記載の加圧バッグ。
【請求項３】
前記内シートは、折り返し部にて折り返されており、
前記内シートの前記折り返し部は、前記底部の側に配置されている請求項１又は２に記載の加圧バッグ。
【請求項４】
前記外シートは、折り返し部にて折り返されており、
前記外シートの前記折り返し部は、前記底部の側に配置されている請求項１〜３のいずれか一項に記載の加圧バッグ。
【請求項５】
前記内シートの全外周端縁は、前記外シートに接合されている請求項１〜４のいずれか一項に記載の加圧バッグ。
【請求項６】
前記底部において、前記内シートと前記外シートとは、前記開口と前記底部とをつなぐ方向に離間している請求項１〜５のいずれか一項に記載の加圧バッグ。
【請求項７】
前記底部において、前記内シートと前記外シートとは接合されていない請求項１〜６のいずれか一項に記載の加圧バッグ。
【請求項８】
前記内シートが前記収納室の内面を構成し、前記外シートが前記加圧バッグの外面を構成する請求項１〜７のいずれか一項に記載の加圧バッグ。
【請求項９】
前記加圧室に前記流体を注入するための連通管を更に備える請求項１〜８のいずれか一項に記載の加圧バッグ。
【発明の詳細な説明】
【技術分野】
【０００１】
本発明は、液状物が充填された袋状容器を加圧するための加圧バッグに関する。より詳細には、袋状容器を加圧して液状物を袋状容器から押し出すために使用される加圧バッグに関する。
【背景技術】
【０００２】
食道や口腔の外傷、疾患、又は手術等によって食物を口腔から胃に送り込むことが困難となった患者に栄養剤、流動食、又は薬剤などを含む液状物を投与する方法として経腸栄養療法が知られている。経腸栄養療法では、可撓性を有するシートを貼り合わせて構成された袋状容器（「パウチ」または「ラミネートパック」などと呼ばれることがある）に充填された液状物を、柔軟なカテーテル（一般に「経腸栄養カテーテル」と呼ばれる）を介して患者の体内に送り込む。経腸栄養療法に用いられるカテーテルとしては、患者の鼻腔から胃又は十二指腸に挿入される経鼻カテーテルや、患者の腹に形成された胃ろうを通って胃内に挿入されるＰＥＧ（Percutaneous Endoscopic Gastrostomy）カテーテルなどが知られている。【０００３】
患者に投与される液状物の粘度が低いと、胃内の液状物が食道に逆流して肺炎を併発したり、液状物の水分が体内で吸収しきれずに下痢したりする等の問題がある。この問題を防止するために、液状物は高粘度化されることが多い。【０００４】
ところが、液状物を高粘度化すると流動性が低下する。高粘度化された液状物を患者の体内に送り込むためには、液状物が充填された袋状容器を圧縮する必要がある。この作業を素手で行おうとすると、非常に大きな力が必要であるので作業者（例えば看護師、介護者）の負担が大きい。【０００５】
そこで、袋状容器を加圧して、液状物を袋状容器から押し出すことができるように構成された押出装置が提案されている（例えば、特許文献１，２参照）。押出装置は、空気を注入することで膨張する加圧バッグを備える。特許文献１の押出装置では、１つの加圧バッグが、袋状容器に対して一方の側に配される。特許文献２の押出装置では、２つの加圧バッグが、袋状容器の両側に配される。いずれの押出装置においても、加圧バッグを膨張させると、加圧バッグが、これに隣接する袋状容器を加圧して、袋状容器から液状物が押し出される。
【先行技術文献】
【特許文献】
【０００６】
【特許文献１】特開２００７−０２９５６２号公報
【特許文献２】特開２０１１−０１９７０９号公報
【発明の概要】
【発明が解決しようとする課題】
【０００７】
しかしながら、上記のいずれの押出装置も、袋状容器内の液状物を残らず押し出すことが困難であるという課題を有する。一般に袋状容器は、略長方形の平面視形状を有し、その一方の短辺側に液状物が流出するポート（スパウトとも呼ばれる）が設けられている。従来の押出装置を用いると、ポートが設けられた短辺とは反対側の短辺の近傍に液状物が残存しやすい。【０００８】
また、特許文献２の押出装置は、独立した２つの加圧バッグを、これらの間に袋状容器を収納することができるように連結する必要があるので、構造や製造工程が複雑である。【０００９】
本発明は、押出後に袋状容器内に残存する液状物の量が少なく、構造が簡単で、容易に製造することができる加圧バッグを提供することを目的とする。
【課題を解決するための手段】
【００１０】
本発明の加圧バッグは、液状物が充填された袋状容器を収納するための収納室と、密閉された加圧室とを備え、前記加圧室に流体が注入されると、前記加圧室が膨張して前記収納室に収納された前記袋状容器を加圧して、前記液状物を前記袋状容器から押し出すことができるように構成されている。前記加圧バッグは、前記収納室に対して前記袋状容器を出し入れするための開口を一端に備え、前記開口とは反対側に底部を備えた袋形状を有する。前記加圧バッグは、可撓性を有する内シートと、可撓性を有する外シートとが、前記外シートが前記内シートに対して前記収納室とは反対側に位置するように重ね合わされた二重構造を有する。前記加圧室は、前記内シートと前記外シートとの間に設けられている。前記内シート、前記外シート、及び、前記内シートと前記外シートとの間の前記加圧室は、いずれも前記底部を介して、前記収納室に対して一方の側から他方の側に延在している。
【発明の効果】
【００１１】
本発明によれば、押出後に袋状容器内に残存する液状物の量を少なくすることができる。また、本発明の加圧バッグは、構造が簡単で、容易に製造することができる。
【図面の簡単な説明】
【００１２】
【図１】図１は、本発明の実施形態１にかかる加圧バッグと、加圧バッグに収納される袋状容器とを示した斜視図である。
【図２】図２は、本発明の実施形態１にかかる加圧バッグの断面図である。
【図３Ａ】図３Ａは、本発明の実施形態１にかかる加圧バッグの製造方法の一工程を示す斜視図である。
【図３Ｂ】図３Ｂは、本発明の実施形態１にかかる加圧バッグの製造方法の次の一工程を示す斜視図である。
【図３Ｃ】図３Ｃは、本発明の実施形態１にかかる加圧バッグの製造方法の更に次の一工程を示す斜視図である。
【図４】図４は、本発明の実施形態１にかかる加圧バッグを用いて袋状容器内の液状物を押し出した状態を示した断面図である。
【図５】図５は、本発明の実施形態２にかかる加圧バッグの斜視図である。
【図６Ａ】図６Ａは、本発明の実施形態３にかかる加圧バッグの、開口側から見た斜視図である。
【図６Ｂ】図６Ｂは、本発明の実施形態３にかかる加圧バッグの、底部側から見た斜視図である。
【図６Ｃ】図６Ｃは、本発明の実施形態３にかかる加圧バッグの断面図である。
【図７Ａ】図７Ａは、本発明の実施形態４にかかる加圧バッグの、開口側から見た斜視図である。
【図７Ｂ】図７Ｂは、本発明の実施形態４にかかる加圧バッグの断面図である。
【図８】図８は、袋状容器が収納された、本発明の実施形態５にかかる加圧バッグの斜視図である。
【図９】図９は、袋状容器が収納された、本発明の実施形態６にかかる加圧バッグの斜視図である。
【発明を実施するための形態】
【００１３】
上記の本発明の加圧バッグにおいて、前記内シート及び前記外シートの一方又は両方は、連続する単一のシートで構成されていてもよい。かかる構成は、加圧バッグの構造の簡単化及び製造の容易化に有利である。
【００１４】
前記内シートは、折り返し部にて折り返されていてもよい。この場合、前記内シートの前記折り返し部は、前記底部の側に配置されていてもよい。かかる構成は、内シートを連続する単一のシートで構成することを可能にする。従って、加圧バッグの構造の簡単化及び製造の容易化に有利である。
【００１５】
同様に、前記外シートは、折り返し部にて折り返されていてもよい。この場合、前記外シートの前記折り返し部は、前記底部の側に配置されていてもよい。かかる構成は、外シートを連続する単一のシートで構成することを可能にする。従って、加圧バッグの構造の簡単化及び製造の容易化に有利である。
【００１６】
本発明において、シートを「折り返す」とは、表裏をなす第１面及び第２面を有するシートを、第１面が対向するように折り曲げることを意味する。「折り返し部」とは、シートの折り返された先端部分を意味する。「折り返し部」では、シートは１又は複数の折り目（折り曲げ線とも呼ばれる）で折り曲げられる。即ち、本発明において、「シートが折り返されている」とは、シートが単一の折り目で略「Ｖ」字状又は略「Ｕ」字状に折り返されている（即ち、シートが単純に二つ折りされている）場合に加えて、折り返し部でシートが複数の折り目で折り曲げられている（例えば、谷折りと山折りとを交互に行うことでシートが略「Ｍ」字状等に折り曲げられている）が、全体としてみればシートが折り返されている場合をも含む。
【００１７】
前記内シートの全外周端縁は、前記外シートに接合されていてもよい。かかる構成によれば、密閉された加圧室を簡単な構成で得ることができる。
【００１８】
前記底部において、前記内シートと前記外シートとは、前記開口と前記底部とをつなぐ方向に離間していてもよい。かかる構成は、収納室に対して両側に位置する加圧室の部分間を底部にて連通させるのに有利である。
【００１９】
前記底部において、前記内シートと前記外シートとは接合されていなくてもよい。かかる構成は、収納室に対して両側に位置する加圧室の部分間を底部にて連通させるのに有利である。また、加圧バッグの構造の簡単化及び製造の容易化に有利である。
【００２０】
前記内シートが前記収納室の内面を構成し、前記外シートが前記加圧バッグの外面を構成してもよい。かかる構成は、加圧バッグの構造の簡単化及び製造の容易化に有利である。
【００２１】
本発明の加圧バッグは、前記加圧室に前記流体を注入するための連通管を更に備えてもよい。かかる構成によれば、連通管を介して加圧室に対して流体を流出入させることができる。
【００２２】
以下に、本発明を好適な実施形態を示しながら詳細に説明する。但し、本発明は以下の実施形態に限定されないことはいうまでもない。以下の説明において参照する各図は、本発明の実施形態を簡略化して示したものである。従って、本発明の範囲内において、以下の各図に示された各部を変更もしくは省略してもよく、また、図示されていない任意の部材もしくは構成を追加してもよい。各実施形態の説明において引用する図面において、先行する実施形態で引用した図面に示された部材に対応する部材には、当該先行する実施形態の図面と同じ符号が付してある。そのような部材については、重複する説明が省略されており、先行する実施形態の説明を適宜参酌すべきである。図面に示された各部の寸法比は、実際の寸法比と同じであるとは限らない。
【００２３】
（実施形態１）
図１は、本発明の実施形態１にかかる加圧バッグ１と、液状物が充填された袋状容器５０とを示した斜視図である。加圧バッグ１は、略長方形の平面視形状を有する袋形状を有する。加圧バッグ１は、袋状容器５０を収納するための収納室１０を備える。収納室１０に対して袋状容器５０を出し入れするためのただ１つの開口１１が、略長方形の平面視形状の一端（本実施形態１では一方の短辺）に設けられている。収納室１０は、開口１１のみを介して外界と連通している。開口１１とは反対側（本実施形態１では他方の短辺側）は、袋形状の底部１２である。開口１１の端縁に沿って開口シール部１１ａ，１１ｂが設けられている。開口１１と底部１２とをつなぐ一対の側辺（即ち、略長方形の一対の長辺）に沿って側辺シール部１３ａ，１３ｂが設けられている。図１では、開口シール部１１ａ，１１ｂ及び側辺シール部１３ａ，１３ｂに、多数のドットを付してある。底部１２に連通管１７が設けられている。以下の説明の便宜のため、開口１１と底部１２とをつなぐ方向（即ち、開口１１を介して収納室１０に袋状容器５０を出し入れする方向であり、本実施形態１では加圧バッグ１の長辺方向に一致する）を「挿抜方向」という。
【００２４】
図２は、挿抜方向に平行な平面に沿った、加圧バッグ１の断面図である。加圧バッグ１は、折り返し部２１で折り返された単一の内シート２０と、折り返し部３１で折り返された単一の外シート３０とを備える。内シート２０が収納室１０の内面を構成し、外シート３０が加圧バッグ１の外面を構成する。加圧バッグ１は、内シート２０と、内シート２０に対して収納室１０とは反対側（外側）に位置する外シート３０とが重ね合わされた二重構造を有する。内シート２０の折り返し部２１、及び、外シート３０の折り返し部３１が、加圧バッグ１の底部１２側に配置されている。内シート２０の折り返し部２１と外シート３０の折り返し部３１とは、挿抜方向（図２において左右方向）に接触しておらず、離間している。
【００２５】
収納室１０に対して一方の側（図２において上側）において内シート２０と外シート３０とが開口シール部１１ａにてシールされ、収納室１０に対して他方の側（図２において下側）において内シート２０と外シート３０とが開口シール部１１ｂにてシールされている。また、側辺シール部１３ａ，１３ｂ（図１参照）にて、互いに対向する内シート２０と、その両外側の外シート３０とがシールされている。その結果、内シート２０と外シート３０との間に、密閉された加圧室１５が形成されている。内シート２０、外シート３０、及び、内シート２０と外シート３０との間の加圧室１５は、いずれも底部１２を介して、収納室１０に対して一方の側（図２において上側）から他方の側（図２において下側）に、略「Ｕ」字状（または略「Ｖ」字状）に延在している。底部１２では、内シート２０と外シート３０とはシールされていない（但し、側辺シール部１３ａ，１３ｂを除く）。このため、収納室１０に対して両側に位置する加圧室１５の部分間の、底部１２を介した連通が確保される。
【００２６】
連通管１７は、中空の円筒形状を有し、外シート３０の折り返し部３１の位置にて外シート３０を貫通している。連通管１７は、加圧室１５と外界とを連通させる。
【００２７】
図２では、加圧バッグ１の構成の理解を容易にするため、収納室１０を挟んで対向する内シート２０がわずかに離間しており、且つ、加圧室１５を挟んで対向する内シート２０と外シート３０とがわずかに離間している。しかしながら、非使用時の実際の加圧バッグ１では、収納室１０を挟んで対向する内シート２０が互いに密着していてもよく、また、加圧室１５を挟んで対向する内シート２０と外シート３０とが互いに密着していてもよい。即ち、非使用時の加圧バッグ１は、２層の外シート３０と、この間の２層の内シート２０とが互いに密着した薄板状であってもよい。
【００２８】
内シート２０及び外シート３０は、容易に変形可能な可撓性（または柔軟性）を有する。内シート２０及び外シート３０は、更に、加圧室１５に流体（例えば空気）を所定圧力（例えば６０ｋＰａ）で注入しても、流体が外界に漏れ出ることがないシール性と、加圧バッグ１が破裂しない機械的強度とを備えることが好ましい。内シート２０及び外シート３０の材料としては、このような特性を満足すれば制限はなく、例えばポリエチレンテレフタレート、ナイロン、ポリプロピレン、ポリエチレン、軟質ポリ塩化ビニルなどの樹脂材料を用いることができる。内シート２０及び外シート３０は、材料が異なる複数の層が積層された積層シートであってもよい。内シート２０及び外シート３０の材料は、同じであってもよいし、異なっていてもよい。加圧室１５を膨張させたときに収納室１０内の袋状容器５０を効果的に加圧するために、外シート３０は、実質的に伸縮性を有しないことが好ましい。内シート２０は、伸縮性を有していても、有していなくてもよい。
【００２９】
連通管１７は、加圧室１５と外界とを連通させることができれば、その材料は任意である。実質的に変形しない硬質材料や、容易に変形可能な軟質材料のいずれであってもよい。使用可能な硬質材料としては、ポリエチレン、ポリプロピレン、ポリアセタール、ポリカーボネート、ポリエチレンテレフタレート、ポリブチレンテレフタレート、ブチレンスチレンブロック共重合体、ポリオキシメチレン、アクリロニトリルブタジエンスチレン共重合体、ポリスチレン、ポリアミド、硬質ポリ塩化ビニル等の樹脂材料や、ステンレス鋼、鉄、アルミニウム等の金属材料を例示できる。使用可能な軟質材料としては、天然ゴム、イソプレンゴム、シリコーンゴム等のゴムや、スチレン系エラストマー、オレフィン系エラストマー、ポリウレタン系エラストマー等の熱可塑性エラストマー、軟質ポリ塩化ビニル等を用いることができる。
【００３０】
加圧バッグ１の加圧室１５は、連通管１７を介して加圧室１５に流体が注入されることによって膨張する。注入される流体は、気体及び液体のいずれであってもよいが、気体、特に空気が好ましい。図１及び図２では図示が省略されているが、加圧バッグ１の使用時には、流体を加圧室１５に注入するためのポンプが、柔軟なチューブを介して連通管１７に接続される。流体として空気を用いる場合、ポンプとしては、手動式のピストンポンプや、手動式の送気球を用いることができる。ピストンポンプは、シリンダに対してピストンを挿抜することによって空気を排出する。送気球は、ゴム等からなる、球状又はラグビーボール状等の中空体であり、押し潰すことによって空気を排出する。但し、ポンプは、これらに限定されず、ピストンポンプや送気球以外の手動式ポンプや、任意の電動ポンプであってもよい。連通管１７とポンプとをつなぐチューブ上に、加圧室１５内の圧力を示す圧力インジケータや、流体を外界に放出して加圧室１５の圧力を降下させるための圧力開放弁（例えば三方活栓）等が設けられていてもよい。
【００３１】
加圧バッグ１は、袋状容器５０（図１参照）に充填された液状物を加圧して押し出すために使用される。袋状容器５０は、限定されないが、例えば可撓性を有するシートで構成された袋状物であって、一般にパウチまたはラミネートパックと称されるものが好ましい。本実施形態１では、袋状容器５０は、二側面を構成する２枚の略長方形のシートと、底面を構成する１枚のシートとで構成された、スタンディングパウチである（図１では、一側面を構成するシートのみが見える）。但し、袋状容器５０は、これに限定されず、例えば同一寸法の２枚のシートを重ね合わせてその外周端縁で貼り合わせた平袋型パウチや、側面及び底面にマチが設けられた箱型パウチ（角底パウチと呼ばれることもある）等の任意の構成を有していてもよい。袋状容器５０には、液状物を流出させるためのポート（スパウトと呼ばれることもある）５１が設けられている。本実施形態１では、ポート５１は、略長方形の平面視形状を有する袋状容器５０の短辺の中央に設けられている。但し、ポート５１の位置はこれに限定されず、例えば短辺と長辺とが交差する角部に、短辺及び長辺に対して傾斜してポート５１が設けられていてもよい。
【００３２】
袋状容器５０に充填された液状物の種類に制限はない。例えば、液状物は、栄養剤（例えば経腸栄養療法で使用される経腸栄養剤）、流動食、造影剤、ヒアルロン酸、生理食塩水、血液などの任意の液状物であってもよい。液状物は、例えば１０００ｍＰａ・ｓ以上に高粘度化（または半固形化）されていてもよい。液状物の粘度の上限は、制限されないが５００００ｍＰａ・ｓ以下であることが好ましい。
【００３３】
次に、加圧バッグ１の製造方法の一例を説明する。
【００３４】
最初に、図３Ａに示すように、内シート２０及び外シート３０を用意する。内シート２０及び外シート３０は、いずれも細長い長方形を有する。外シート３０は、長方形の長辺方向及び短辺方向のいずれにおいても、内シート２０より大きい。
【００３５】
外シート３０の中央（２本の対角線の交点の位置）またはその近傍に、連通管１７が外シート３０を貫通して設けられている。連通管１７の外周面と外シート３０とは気密に接合される。連通管１７と外シート３０との接合方法は、制限はないが、例えば接着剤を付与する方法や、融着する方法などを用いることができる。
【００３６】
内シート２０の外シート３０に対向する側の面（図３Ａにおいて内シート２０の下面）には、公知のヒートシール剤が付与されたシール剤領域２３ａ，２３ｂが、内シート２０の外周端縁に沿って連続的に設けられている。同様に、外シート３０の内シート２０に対向する側の面（図３Ａにおいて外シート３０の上面）には、公知のヒートシール剤が付与されたシール剤領域３３ａ，３３ｂが、外シート３０の外周端縁に沿って連続的に設けられている。シール剤領域２３ａ，３３ａはシート２０，３０の短辺に沿っており、シール剤領域２３ｂ，３３ｂはシート２０，３０の長辺に沿っている。シール剤領域２３ａとシール剤領域３３ａとはほぼ同一幅を有する。シール剤領域３３ｂはシール剤領域２３ｂよりわずかに幅が広い。図３Ａでは、シール剤領域２３ａ，２３ｂ，３３ａ，３３ｂに、多数のドットを付してある。
【００３７】
次いで、図３Ｂに示すように、内シート２０の一対の短辺を外シート３０の一対の短辺に重ね合わせる。そして、内シート２０のシール剤領域２３ａを、外シート３０のシール剤領域３３ａにヒートシール法にて接合する。ヒートシールされた領域は、開口シール部１１ａ，１１ｂ（図１、図２参照）を構成する。外シート３０は内シート２０に比べて長辺方向寸法が長いので、内シート２０を長辺方向に真っ直ぐに伸ばしても、外シート３０はその中央部分が弛む。また、外シート３０は内シート２０に比べて短辺方向寸法が長いので、外シート３０の長辺に沿ったシール剤領域３３ｂの一部は内シート２０よりも短辺方向に外側にはみ出す。
【００３８】
次いで、図３Ｃに示すように、短辺に沿った開口シール領域１１ａと開口シール領域１１ｂとが重なるように、内シート２０を内側にして内シート２０及び外シート３０を折り返す（即ち、二つ折りする）。図３Ｂの二点鎖線２１’，３１’は、シート２０，３０の折り目を示す。折り目２１’，３１’は、加圧バッグ１の折り返し部２１，３１（図２参照）となる。内シート２０のシール剤領域２３ｂは外シート３０のシール剤領域３３ｂに対向する。外シート３０のシール剤領域３３ｂのうち内シート２０からはみ出した部分は、外シート３０が折り返されることによって互いに対向する。シート２０，３０を折り返した状態で、シール剤領域２３ｂ，３３ｂをヒートシール法にて接合する。ヒートシールされた領域は、側辺シール部１３ａ，１３ｂ（図１参照）を構成する。側辺シール部１３ａ，１３ｂでは、内シート２０の各長辺が外シート３０に接合され、外シート３０の各長辺は折り返されて接合される。かくして、図１及び図２に示した、一端に開口１１を有する袋形状の加圧バッグ１が得られる。上記の製造方法から容易に理解できるように、シール剤領域２３ａ，２３ｂが設けられた内シート２０の全外周端縁が外シート３０に接合される。これにより、内シート２０と外シート３０との間に、密閉された加圧室１５が形成される。加圧室１５は、連通管１７のみを介して外界と連通する。加圧室１５は、底部１２にて折り返されている。
【００３９】
次に、加圧バッグ１の使用方法を、空気を用いて加圧室１５を膨張させ、袋状容器５０に充填された液状物（経腸栄養剤）を押し出して経腸栄養療法を行う場合を例に説明する。
【００４０】
図１に示すように、加圧バッグ１と袋状容器５０とを用意する。加圧バッグ１の加圧室１５（図２参照）は実質的に膨らんでおらず、加圧室１５を規定する内シート２０と外シート３０とは実質的に密着している。連通管１７に、柔軟なチューブを介してポンプ（例えば手動式ピストンポンプ）を接続する（いずれも図示せず。後述する図８、図９を参照）。袋状容器５０には経腸栄養剤が充填されている。袋状容器５０のポート５１と、患者の胃ろうに挿入されたＰＥＧカテーテルとを、柔軟な延長チューブ（例えば経腸栄養セット、図示せず）を介して接続する。延長チューブには、その流路を開閉するクランプ（図示せず）が設けられている。クランプで延長チューブの流路を閉じる。
【００４１】
袋状容器５０の底部（ポート５１とは反対側の部分）を加圧バッグ１に向けて、袋状容器５０を加圧バッグ１の開口１１から収納室１０内に収納する。収納室１０の内寸法は、袋状容器５０のほぼ全体を収納することができるように設定されている。ポート５１に接続された延長チューブ（図示せず）は、加圧バッグ１の開口１１から導出される。
【００４２】
袋状容器５０を収納室１０に収納した状態で、連通管１７を介して加圧バッグ１の加圧室１５に空気を送り込む。加圧室１５は、送り込まれた空気によって膨張する。加圧室１５が膨張するのにしたがって、加圧室１５に隣接する袋状容器５０が圧縮される。加圧室１５を所定の圧力（例えば４０ｋＰａ）に加圧する。その後、延長チューブのクランプを開く。ポート５１から液状物が押し出される。袋状容器５０からの液状物の流出が終了した後、加圧室１５内の圧力を解放する。平らに押し潰された袋状容器５０を収納室１０から取り出す。
【００４３】
本発明の加圧バッグ１を用いると、袋状容器５０内の液状物を、ほぼ残らず押し出すことができる。これについて、説明する。
【００４４】
上述した特許文献１の押出装置では、袋状容器の一方の側のみに加圧バッグが配置される。また、特許文献２の押出装置では、袋状容器の両側に加圧バッグが配置される。これらのいずれの押出装置でも、加圧バッグを膨張させると、加圧バッグの袋状容器に対向する面がドーム状に膨らむ。このため、加圧バッグは、袋状容器の側面の略中央部分を最も大きく凹ませる。袋状容器の略中央部分が最初に押し潰されてしまうと、当該略中央部分に対してポートとは反対側（以下「反ポート側」という）に存在する液状物は、ポート側へ流れることは困難である。その結果、従来の押出装置では、反ポート側に液状物が残存し、袋状容器内の液状物を残らず押し出すことが困難であった。
【００４５】
図４は、加圧室１５が膨張した加圧バッグ１が袋状容器５０を加圧している状態を示した断面図である。図４では、連通管１７に接続されたチューブ、及び、ポート５１に接続された延長チューブの図示が省略されている。本発明の加圧バッグ１では、折り返された内シート２０が、袋状容器５０が収納される収納室１０の内面を構成し、この内シート２０に沿って、加圧室１５が、底部１２を介して袋状容器５０の一方の側から他方の側に延在している。このため、加圧室１５を膨張させたとき、袋状容器５０の反ポート側の部分にも、他の部分と同様に、内シート２０が密着して加圧力が加えられる。袋状容器５０に加えられる加圧力が、袋状容器５０の長辺方向の中央部分で最大となり、その両側で低くなるという従来の押出装置で起こりうる不均一な加圧力分布は、本発明の加圧バッグ１では発生しない。その結果、加圧バッグ１を用いた場合には、反ポート側に液状物が残存することはなく、押出後に袋状容器５０内に残存する液状物の量を少なくすることができるのである。
【００４６】
また、本発明の加圧バッグ１は、袋状容器の両側に加圧バッグが配置された特許文献２の押出装置に比べて、構造が極めて簡単である。また、上記の製造方法から容易に理解できるように、本発明の加圧バッグ１は、２枚のシート２０，３０を折り返して（即ち、二つ折りして）貼り合わせるという極めて容易な方法で製造することができる。
【００４７】
連通管１７が外シート３０の折り返し部３１に設けられていることは、非使用時に加圧バッグ１の厚みを薄くすることができるので、加圧バッグ１の収納を容易にするのに有利である。
【００４８】
（実施形態２）
図５は、本発明の実施形態２にかかる加圧バッグ２の斜視図である。実施形態１との相違点を中心に、本実施形態２を説明する。
【００４９】
上記の実施形態１の加圧バッグ１は、略長方形の平面視形状を有していた。これに対して、本実施形態２の加圧バッグ２は、略五角形の平面視形状を有する。加圧バッグ２には、開口１１が設けられた短辺の一方の角を斜めに切り落とすことによって、傾斜端縁１８が設けられている。上述したように、ポートが短辺と長辺とが交差する角部に傾斜して設けられた袋状容器が現に存在する。加圧バッグ２は、このような袋状容器に対して好ましく使用することができる。傾斜したポートが傾斜端縁１８の部分に位置するように袋状容器を収納室１０に収納すれば、ポートが加圧バッグ２に衝突する可能性を少なくすることができる。これは、液状物を押出後に、ポートの近傍に残存する液状物の量を少なくするのに有利である。
【００５０】
本実施形態２は、上記を除いて実施形態１と同じである。実施形態１の説明が、本実施形態２にも同様に適用される。
【００５１】
（実施形態３）
図６Ａは、本発明の実施形態３にかかる加圧バッグ３の、開口１１側から見た斜視図、図６Ｂは、加圧バッグ３の、底部１２側から見た斜視図である。図６Ｃは、挿抜方向に平行な平面に沿った、加圧バッグ３の断面図である。図６Ｃでは、開口１１及びその近傍部分と底部１２及びその近傍部分を拡大して示し、それらの間の部分の図示を省略している。実施形態１との相違点を中心に、本実施形態３を説明する。
【００５２】
図６Ｃに最もよく示されているように、外シート３０は、３つの折り目３１ａ，３１ｂ，３１ｃにて略「Ｍ」字状に折り曲げられている。より詳細には、加圧バッグ３の外側から見て、外シート３０は、折り目３１ａ，３１ｃにて山折りされており、折り目３１ａ，３１ｃの間の折り目３１ｂにて谷折りされている。３つの折り目３１ａ，３１ｂ，３１ｃが、外シート３０の折り返し部３３１を構成する。折り返し部３３１は、実施形態１において折り目３１’（図３Ｂ参照）に代えて、３つの折り目３１ａ，３１ｂ，３１ｃにて外シート３０を交互に逆向きに折り曲げることにより作成できる。内シート２０の折り返し部２１と外シート３０の折り返し部３３１とが挿抜方向（図６Ｃにおいて左右方向）に離間している点は、実施形態１と同じである。外シート３０が、折り返し部３３１にて、アコーディオン状（または蛇腹状）に折り曲げられることにより、加圧室１５を膨張させたとき、外シート３０の折り返し部３３１は外向きに大きく膨らむ。これは、底部１２にて内シート２０と外シート３０とが接触する可能性を低減するので、加圧室１５の底部１２での連通を確保するのに有利である。折り返し部３３１を構成する折り目の数やその間隔等は、本実施形態３に限定されず、任意に変更してよい。
【００５３】
連通管３１７は、実施形態１の連通管１７に対応する。図６Ａ〜図６Ｃに示されているように、連通管３１７は、略「Ｌ」字状に屈曲し、外シート３０の、開口１１と折り返し部３３１（または底部１２）との間の領域に設けられている。実施形態１と同様に、収納室１０に対して一方の側の加圧室１５の部分と他方の側の加圧室１５の部分とは底部１２を介して連通しているので、連通管３１７を一方の側に設けても、加圧室１５の全体を膨らませることが可能である。
【００５４】
連通管３１７の先端は、加圧バッグ３の開口１１の近傍で、開口１１と同じ側に向かって開口している。このため、連通管３１７に接続されるチューブは、収納室１０に収納される袋状容器５０のポート５１（図１参照）に接続される延長チューブと同じ側に向かって延びることになる。これは、これら２本のチューブの取り扱い性や、袋状容器５０からの液状物の押出作業性の向上に有利である。
【００５５】
本実施形態３は、上記を除いて実施形態１と同じである。実施形態１の説明が、本実施形態３にも同様に適用される。本実施形態３の折り返し部３３１及び／又は連通管３１７を、実施形態１，２に適用してもよい。
【００５６】
本実施形態３において、内シート２０の折り返し部２１（図６Ｃ参照）を、外シート３０の折り返し部３３１と同様に、複数の折り目で構成してもよい。これを、実施形態１，２及び後述する実施形態４に適用してもよい。
【００５７】
（実施形態４）
図７Ａは、本発明の実施形態４にかかる加圧バッグ４の、開口１１側から見た斜視図である。図７Ｂは、挿抜方向に平行な平面に沿った、加圧バッグ４の断面図である。図７Ｂでは、開口１１及びその近傍部分と底部１２及びその近傍部分を拡大して示し、それらの間の部分の図示を省略している。実施形態１との相違点を中心に、本実施形態４を説明する。
【００５８】
図７Ａに示されているように、底部１２側の短辺に沿って底シール部１２ａが設けられている。底シール部１２ａは、側辺シール部１３ａ，１３ｂと連続している。底シール部１２ａの外周端縁の両端部分が切り欠かれ、底シール部１２ａの中央部分のみが突出している。底シール部１２ａの中央の突出部分内に、底シール部１２ａを貫通する貫通孔１４が設けられている。図７Ａでは、底シール部１２ａに、シール部１１ａ，１１ｂ，１３ａ，１３ｂと同じ多数のドットを付してある。
【００５９】
図７Ｂに示されているように、底シール部１２ａでは、折り返し部３１で折り返されて積層された２層の外シート３０が接合されている。このような底シール部１２ａは、実施形態１において、一対のシール剤領域３３ｂをつなぐように、折り目３１’（図３Ｂ参照）に沿って一定幅のシール剤領域（シール剤が付与された領域）を形成し、シール剤領域２３ｂ，３３ｂを接合するのと同時に当該シール領域を接合することにより作成できる。
【００６０】
貫通孔１４は、加圧バッグ４をフックなどに吊り下げる際に利用することができる。貫通孔１４が、２層の外シート３０が積層されて接合された底シール部１２ａ内に設けられているので、貫通孔１４を取り囲む端縁の強度が高い。
【００６１】
収納室１０に袋状容器５０を収納した状態で貫通孔１４を上にして加圧バッグ４を吊り下げてもよい。袋状容器５０内の液状物は、重力によりそのポート５１（図１参照）に向かって流れるので、押出後に袋状容器５０内に残存する液状物の量を更に少なくすることができる。袋状容器５０が加圧バッグ４から抜け落ちるのを防止する落下防止構造が加圧バッグ４に設けられてもよい。落下防止構造は、制限はないが、例えば開口シール部１１ａと開口シール部１１ｂとの間に架け渡されたバンドや、開口シール部１１ａと開口シール部１１ｂとを連結するファスナであってもよい。
【００６２】
本実施形態４において、底シール部１２ａの両端部分を切り欠くのとの同時に、外シート３０の折り返し部３１（図７Ｂ参照）を切り落としてもよい。あるいは、底シール部１２ａの両端部分の切り欠きを省略してもよい。底シール部１２ａに複数の貫通孔１４が設けられていてもよい。
【００６３】
連通管３１７は、実施形態３の連通管３１７と同じである。上述したように収納室１０に袋状容器５０を収納した状態で貫通孔１４を上にして加圧バッグ４を吊り下げたとき、連通管３１７の先端及び袋状容器５０のポート５１（図１参照）は、いずれも下方を向く。連通管３１７に接続されたチューブ、及び、ポート５１に接続された延長チューブは、いずれも重力により下方に向かって垂れ下がる。これら２本のチューブが屈曲して閉塞することはないので、袋状容器５０からの液状物の押出作業性は良好である。
【００６４】
本実施形態４は、上記を除いて実施形態１と同じである。実施形態１の説明が、本実施形態４にも同様に適用される。本実施形態４の底シール部１２ａ及び貫通孔１４を、実施形態１〜３に適用してもよい。
【００６５】
（実施形態５）
図８は、本発明の実施形態５にかかる加圧バッグ５の斜視図である。袋状容器５０が、加圧バッグ５の収納室１０に収納されている。連結管３１７が、加圧バッグ５の底部１２の近傍に設けられている。連結管３１７に、柔軟なチューブ６５を介して手動式ピストンポンプ６０が接続されている。ピストンポンプ６０は、基部６１に対してハンドル６２をその長手方向に往復移動させることにより、空気を送出することができる。チューブ６５を連結管３１７に接続するコネクタに、圧力ゲージ６７が設けられている。圧力ゲージ６７は加圧バッグ５の加圧室の圧力を表示する。圧力ゲージ６７は、加圧室の圧力が所定値を超えると空気を外界に放出して加圧室の圧力を当該所定値以下にするリミッタ機能を有する。チューブ６５に、手動で空気を外界に放出するための圧力開放弁（例えば三方活栓、図示せず）が設けられていてもよい。
【００６６】
加圧バッグ５は、開口１１の端縁に係止突起５１１を備え、また、側辺シール部１３ａに２つの貫通孔５１４を備える。
【００６７】
係止突起５１１は、開口シール部１１ｂの略中央部分を局所的に突出させることにより形成されている。係止突起５１１に、係止突起５１１を貫通する貫通孔５１２が形成されている。この結果、係止突起５１１は、全体として開口シール部１１ｂから略「Ｕ」字状に突出している。図８において、係止突起５１１を上方（開口シール部１１ａ側）に湾曲させて、貫通孔５１２内に袋状容器５０のポート５１を挿入する。その後、ポート５１に延長チューブ（例えば経腸栄養セット、図示せず）を接続する。ポート５１に係止された係止突起５１１は、袋状容器５０が加圧バッグ５から抜け出ないように袋状容器５０を保持する。例えば、ピストンポンプ６０を用いて加圧バッグ５を膨らませるとき、徐々に膨らむ加圧バッグ５によって袋状容器５０が加圧バッグ５から抜け出るのを防止することができる。
【００６８】
係止突起５１１は、開口シール部１１ｂの長手方向の一部のみではなく、開口シール部１１ｂの長手方向の全体を開口シール部１１ａよりも突出させることにより形成されていてもよい。係止突起５１１が、開口シール部１１ａに設けられていてもよい。
【００６９】
貫通孔５１４は、側辺シール部１３ａを局所的に突出させた突出部５１３に設けられている。貫通孔５１４は以下のように利用することができる。図８に示したように加圧バッグ５に袋状容器５０を収納した状態で、ピストンポンプ６０を用いて加圧バッグ５の加圧室を所定の圧力に加圧する。その後、棒状のピストンポンプ６０を２つの貫通孔５１４に挿入する。例えば、ピストンポンプ６０を一方の貫通孔５１４に上から挿入し、次いで他方の貫通孔５１４に下から挿入する。ピストンポンプ６０は加圧バッグ５に保持される。この状態で、ポート５１に接続された延長チューブに設けられたクランプを開き、袋状容器５０からの液状物の流出を開始する。
【００７０】
所定圧力に加圧された加圧バッグ５は、全体として、収納室１０に対する袋状容器５０の挿抜方向を軸方向とする略円柱状に膨らむ。袋状容器５０からの液状物の流出の開始から終了までにはいくらか時間がかかる。その間、加圧バッグ５は、略円柱状に膨らんだままである。貫通孔５１４にピストンポンプ６０を挿入していない状態の略円柱状の加圧バッグ５は、容易に転がりやすい。例えば、経腸栄養療法を行う場合、加圧バッグ５を患者のベッドに載置しても、容易にベッドから転がり落ちるかもしれない。ピストンポンプ６０を貫通孔５１４に挿入して、ピストンポンプ６０を加圧バッグ５に装着すると、ピストンポンプ６０の重みによって加圧バッグ５の転がりを防止できる。
【００７１】
側辺シール部１３ａを局所的に突出させて突出部５１３を設けるのではなく、側辺シール部１３ａの幅をその長手方向の全体にわたって拡大し、拡幅された側辺シール部１３ａに貫通孔５１４を設けてもよい。
【００７２】
貫通孔５１４の数は２つである必要はなく、１つまたは３つ以上であってもよい。貫通孔５１４は、側辺シール部１３ａ，１３ｂのうちの任意の一方または両方に設けることができる。貫通孔５１４を、底部１２側に設けてもよい。例えば、実施形態４の貫通孔１４と同様に、底シール部１２ａにピストンポンプ６０を挿入することができる貫通孔５１４を設けてもよい。
【００７３】
加圧バッグ５において、係止突起５１１及び貫通孔５１４のうちの任意の一方を省略してもよい。
【００７４】
本実施形態５は、上記を除いて実施形態１と同じである。実施形態１の説明が、本実施形態５にも同様に適用される。本実施形態５の係止突起５１１及び貫通孔５１４のうちの一方または両方を、実施形態１〜４に適用してもよい。
【００７５】
（実施形態６）
図９は、本発明の実施形態６にかかる加圧バッグ６の斜視図である。袋状容器５０が、加圧バッグ６の収納室１０に収納されている。加圧バッグ６は、開口１１の端縁に係止突起６１１を備える。更に加圧バッグ６は、実施形態４と同様に、貫通孔１４が設けられた底シール部１２ａを備える。
【００７６】
係止突起６１１は、開口シール部１１ｂの略中央部分を局所的に突出させることにより形成されている。係止突起６１１に、係止突起６１１を貫通する貫通孔６１２が形成されている。係止突起６１１には、貫通孔６１２よりも先端側の位置に、面ファスナー６１３ａが設けられている。加圧バッグ６の外面の開口シール部１１ａ近傍の位置に、面ファスナー６１３ｂが設けられている。面ファスナー６１３ａと面ファスナー６１３ｂとは、繰り返し着離（開閉）可能な固定手段であり、例えばマジックテープ（登録商標）を例示することができる。図９において、係止突起６１１を上方（開口シール部１１ａ側）に湾曲させて、貫通孔６１２内に袋状容器５０のポート５１を挿入する。面ファスナー６１３ａを面ファスナー６１３ｂに固定する。その後、ポート５１に延長チューブ（例えば経腸栄養セット、図示せず）を接続する。貫通孔１４をフックに引っかけて、開口１１を下にして加圧バッグ６を吊り下げる。面ファスナー６１３ａと面ファスナー６１３ｂとが結合しているので、袋状容器５０が加圧バッグ６から抜け落ちることはない。
【００７７】
係止突起６１１は、開口シール部１１ｂの長手方向の一部のみを突出させたものに限定されず、開口シール部１１ｂの長手方向の全体を開口シール部１１ａよりも突出させることにより形成されていてもよい。係止突起６１１が、開口シール部１１ａに設けられていてもよい。係止突起６１１が、貫通孔６１２を有しない単なる細長いバンド（帯状物）であってもよく、この場合にも袋状容器５０が加圧バッグ６から抜け落ちるのを防止することができる。
【００７８】
係止突起６１１の先端を加圧バッグ６の外面に着脱するための着脱機構は、面ファスナー６１３ａ，６１３ｂに限定されず、これ以外の任意の機構（例えばスナップボタン、ボタンなど）であってもよい。面ファスナー６１３ａ，６１３ｂを省略してもよい。実施形態５と同様に、貫通孔６１２にポート５１を挿入して係止突起６１１をポート５１に係止するだけでも、袋状容器５０が加圧バッグ６から抜け落ちるのを防止することができる。
【００７９】
本実施形態６は、上記を除いて実施形態１と同じである。実施形態１の説明が、本実施形態６にも同様に適用される。本実施形態６の係止突起６１１及び貫通孔１４のうちの一方または両方を、実施形態１〜５に適用してもよい。
【００８０】
上記の実施形態１〜６は例示に過ぎない。本発明は、上記の実施形態１〜６に限定されず、適宜変更することができる。
【００８１】
上記の実施形態１〜６では、外シート３０は内シート２０よりも、長辺方向及び短辺方向のいずれにおいても大きかったが、本発明はこれに限定されない。
【００８２】
例えば、実施形態１，２において、外シート３０は内シート２０と同じ長辺方向寸法を有していてもよい。この場合、折り返された内シート２０の折り返し部２１と、折り返された外シート３０の折り返し部３１とは、上記の実施形態１，２とは異なり、挿抜方向において接することになる。しかしながら、この場合であっても、加圧室１５を、底部１２を介して収納室１０の一方の側から他方の側に延在させることができるので、上記の実施形態１，２と同様の効果が奏される。また、内シート２０の一対の短辺と外シート３０の一対の短辺とを接合したとき、上記の実施形態１のように外シート３０の中央部分が弛む（図３Ｂ参照）ことがないので、加圧バッグ１の製造工程においてこのように接合した内シート２０及び外シート３０の取り扱いが容易になる。
【００８３】
また、外シート３０は内シート２０と同じ短辺方向寸法を有していてもよい。この場合、内シート２０の外シート３０とは反対側の面（図３Ａにおいて内シート２０の上面）に、長辺に沿ってシール剤領域を設けることが好ましい。
【００８４】
外シート３０が、折り返し部３１に相当する位置で分断された２枚の外シート片で構成されていてもよい。この場合、２枚の外シート片は、底部１２にて互いに接合される。２枚の外シート片の接合された部分は、実施形態４の底シール部１２ａと同様のシール部を構成することができる。同様に、内シート２０が、折り返し部２１に相当する位置で分断された２枚の内シート片で構成されていてもよい。
【００８５】
上記の実施形態１〜６の加圧バッグ１〜６は、互いに独立した内シート２０及び外シート３０（図３Ａ参照）を用いて製造されたが、本発明はこれに限定されない。例えば、内シート２０の一方の短辺と外シート３０の一方の短辺とが接続された、連続する単一のシートを用いて本発明の加圧バッグを構成することができる。この場合、単一のシートは、内シートと外シートとの境界で折り曲げられる。そして、単一のシートの両端が重ね合わされて接合される。その後は、上記の実施形態（図３Ｂ及び図３Ｃ参照）と同様にして加圧バッグを製造することができる。このようにして製造された加圧バッグでは、上記の実施形態の加圧バッグ１〜６の開口シール部１１ａ，１１ｂ（図１参照）のうちの一方が、内シートと外シートとの境界に沿った折り曲げ部分に変更される。
【００８６】
上記の実施形態１〜６では、内シート２０の外周端縁以外の部分は、外シート３０に接合されていない。しかしながら、底部１２を介した加圧室１５の連通が確保される限り、例えば、内シート２０の折り返し部２１と外シート３０の折り返し部３１とが部分的に接合されていてもよい。これは、加圧室１５が膨張した時に、内シート２０の折り返し部２１の部分が収納室１０側に押し出されるように変形するのを防止するのに有効となることがある。
【００８７】
上記の実施形態１〜６では、内シート２０と外シート３０とは、ヒートシール法を用いて接合されたが、気密（または液密）に接合することができれば、両シート２０，３０の接合方法はこれに限定されない。例えば、接着剤や粘着テープ（両面粘着テープまたは片面粘着テープ）を用いる方法、融着する方法、糸で縫い合わせる方法、あるいはこれらを組み合わせた方法などで接合することができる。
【００８８】
連通管が設けられる位置は、上記の実施形態に限定されない。例えば、連通管は、外シート３０の任意の位置に設けられていてもよく、あるいは、開口シール部（１１ａ又は１１ｂ）又は側辺シール部（１３ａ又は１３ｂ）に内シート２０と外シート３０との間に挟まれた状態で設けられてもよい。連通管の形状は、一直線状やＬ字状に限定されず、任意である。加圧バッグに複数の連通管が設けられていてもよい。
【００８９】
貫通孔１４の位置は、底シール部１２ａ（図７Ａ、図９参照）に限定されない。例えば、貫通孔１４が、側辺シール部１３ａ又は１３ｂに設けられていてもよい。この場合、底シール部１２ａを省略することができる。
【産業上の利用可能性】
【００９０】
本発明の利用分野は特に制限はないが、袋状容器に充填された液状物（特に半固形化した低流動性の流動物）を押し出すための加圧バッグとして好ましく利用することができる。医療分野、特に、患者の体内に挿入したカテーテルを介して半固形化栄養剤を注入する経腸栄養療法に好ましく利用することができる。但し、本発明は、医療分野に限られず、液状物を注入する必要がある分野（例えば食品分野、一般工業分野など）にも広範囲に利用することができる。
【符号の説明】
【００９１】
１，２，３，４，５，６  加圧バッグ
１０  収納室
１１  開口
１２  底部
１５  加圧室
１７，３１７  連通管
２０  内シート
２１  内シートの折り返し部
３０  外シート
３１  外シートの折り返し部
５０  袋状容器
【図１】
2018181502.tif 000003
【図２】
2018181502.tif 000004
【図３Ａ】
2018181502.tif 000005
【図３Ｂ】
2018181502.tif 000006
【図３Ｃ】
2018181502.tif 000007
【図４】
2018181502.tif 000008
【図５】
2018181502.tif 000009
【図６Ａ】
2018181502.tif 000010
【図６Ｂ】
2018181502.tif 000011
【図６Ｃ】
2018181502.tif 000012
【図７Ａ】
2018181502.tif 000013
【図７Ｂ】
2018181502.tif 000014
【図８】
2018181502.tif 000015
【図９】
2018181502.tif 000016
【国際調査報告】
2018181502.tif 000017
2018181502.tif 000018